(57)【要約】【課題】撮像装置の位置情報を用いて、ユーザの所望する他の撮像装置の撮像する画像を取得することが出来る撮像装置、情報処理システム、その制御方法及びプログラムを提供すること【解決手段】撮像装置と表示画面を備える情報処理装置であって、表示画面に表示された他の撮像装置を選択させるためのオブジェクトを、当該他の撮像装置と対応付けて表示し、表示されたオブジェクトの選択を受け付け、選択されたオブジェクトに対応する、前記他の撮像装置が撮像した画像データを取得して、取得した前記画像データを表示画面に表示する。 【選択図】図１１
2014131200.tif 000002
【特許請求の範囲】
【請求項１】
撮像装置と表示画面を備える情報処理装置であって、
前記表示画面に表示された他の撮像装置を選択させるためのオブジェクトを、当該他の撮像装置と対応付けて表示するオブジェクト表示手段と、
前記オブジェクト表示手段で表示されたオブジェクトの選択を受け付ける選択受付手段と、
前記選択受付手段で選択されたオブジェクトに対応する、前記他の撮像装置が撮像した画像データを取得する取得手段と、
前記取得手段で取得した前記画像データを表示画面に表示する画像データ表示手段と、
を備えること特徴とする情報処理装置。
【請求項２】
前記撮像装置で撮像する焦点位置を表示画面に表示する焦点位置表示手段と、
を備え、
前記選択受付手段は、前記焦点位置表示手段で表示された焦点位置と、前記オブジェクト表示手段で表示されたオブジェクトとが重なることにより、前記オブジェクトの選択を受け付けることを特徴とする請求項１に記載の情報処理装置。
【請求項３】
前記オブジェクト表示手段は、前記選択受付手段で選択を受け付けた前記オブジェクトと、選択を受け付けていない前記オブジェクトとを識別可能に表示することを特徴とする請求項１又は２に記載の情報処理装置。
【請求項４】
前記オブジェクト表示手段は、前記他の撮像装置の位置情報に応じた前記表示画面上の位置に、前記オブジェクトを表示することを特徴とする請求項１乃至３のいずれか１項に記載の情報処理装置。
【請求項５】
前記取得手段は、前記他の撮像装置が撮像中のライブ画像データを取得し、
画像データ表示手段は、前記ライブ画像データを表示画面に表示することを特徴とする請求項１乃至４のいずれか１項に記載の情報処理装置。
【請求項６】
前記他の撮像装置の識別情報を取得する識別情報取得手段と、
前記取得手段は、前記画像データを、前記識別情報取得手段で取得した前記識別情報を用いて特定される前記他の撮像装置に要求することにより取得することを特徴とする請求項１乃至７のいずれか１項に記載の情報処理装置。
【請求項７】
前記画像データを記憶領域に記憶するための撮像指示を受け付けることにより、前記画像データの撮像を実行する撮像手段と、
前記撮像手段で撮像された前記画像データを記憶領域に記憶する記憶手段と、
を備えることを特徴とする請求項１乃至６のいずれか１項に記載の情報処理装置。
【請求項８】
前記撮像手段は、前記画像データの取得元の前記他の撮像装置に、前記情報処理装置の記憶領域に記憶すべく画像データを撮像する指示を送信することにより、前記他の撮像装置に画像データの撮像を実行させることを特徴とし、
前記記憶手段は、前記撮像手段で、前記他の撮像装置で撮像された画像データを取得して記憶領域に記憶することを特徴とする請求項７に記載の情報処理装置。
【請求項９】
前記他の撮像装置に、前記撮像手段で撮像した画像データを記憶させない指示を、送信する非記憶指示送信手段と、
を備えることを特徴とする請求項８に記載の情報処理装置。
【請求項１０】
前記撮像手段は、前記画像データ表示手段で表示された画像データをキャプチャすることで、画像データの撮像を実行することを特徴とし、
前記記憶手段は、前記キャプチャをすることにより撮像された画像データを記憶領域に記憶することを特徴とする請求項７乃至９のいずれか１項に記載の情報処理装置。
【請求項１１】
前記他の撮像装置の方位情報を取得する方位情報取得手段と、
を備え、
前記オブジェクトは、前記方位情報の方位を示すことを特徴とする請求項１乃至１０のいずれか１項に記載の情報処理装置。
【請求項１２】
前記位置情報の内、前記撮像装置の画角に含まれない位置情報を特定する画角外位置情報特定手段と、
前記画角外位置情報特定手段で特定された位置情報を有する前記他の撮像装置に対応するオブジェクトを、前記表示画面に表示することを特徴とする請求項４乃至１１のいずれか１項に記載の情報処理装置。
【請求項１３】
前記オブジェクト表示手段は、前記方位情報取得手段で取得した方位情報を用いて、自装置の方位に所定の値より近い方位の値を示す方位情報を有する前記他の撮像装置に対応するオブジェクトと、自装置の方位に所定の値より遠い方位の値を示す方位情報を有する前記他の撮像装置に対応するオブジェクトと、を識別可能に表示することを特徴とする請求項１１又は１２に記載の情報処理装置。
【請求項１４】
撮像指示を受け付けた位置が、前記撮像装置の撮像する画像データを表示する第１の領域か、前記他の撮像装置の撮像する画像データを表示する第２の領域かを判定する判定手段と、
を備え、
前記撮像手段は、前記判定手段で、前記第２の領域に対する撮像指示を受け付けたと判定した場合に、前記他の撮像装置で撮像中の画像データを記憶領域に記憶すべく撮像を実行することを特徴とする請求項７乃至１３に記載の情報処理装置。
【請求項１５】
撮像装置と表示画面とを備え情報処理装置と、サーバとが通信可能に接続された情報処理システムであって、
前記情報処理装置は、
撮像中の画像データを前記情報処理装置に送信する画像データ送信手段と、
自装置の位置情報を前記情報処理装置に送信する位置情報送信手段と、
他の撮像装置の位置情報を、前記情報処理装置に要求して取得する位置情報取得手段と、
前記位置情報取得手段で取得した位置情報に応じて、前記他の撮像装置に対応するオブジェクトを表示画面に表示するオブジェクト表示手段と、
前記表示手段で表示するオブジェクトの選択を受け付けた場合に、当該選択を受け付けたオブジェクトに対応する前記他の撮像装置が撮像中の画像データである画像データを、前記情報処理装置に要求して取得する取得手段と、
前記取得手段で取得した前記画像データを表示画面に表示する画像データ表示手段と、
を備え、
前記サーバは、
前記撮像装置より、前記撮像装置が撮像中の前記画像データ、及び、前記撮像装置の位置情報を受信する受信手段と、
前記撮像装置からの、他の撮像装置の位置情報の取得要求に応じて、前記他の撮像装置の位置情報を、前記撮像装置に送信する他撮像装置位置情報送信手段と、
前記撮像装置からの、他の撮像装置の画像データの取得要求に応じて、前記他の撮像装置の画像データを、前記撮像装置に送信する他撮像装置画像データ送信手段と、
を備えることを特徴とする情報処理システム。
【発明の詳細な説明】
【技術分野】
【０００１】
本発明は、情報処理装置、情報処理システム、その制御方法及びプログラムに関する。
【背景技術】
【０００２】
近年、カメラ、及びカメラ付き携帯が普及してきている。当然ながら、ユーザは自分のいる位置から被写体に向けてカメラを構え、被写体を撮影することになる。被写体が正面、反対面、側面などが存在する場合、ユーザは写真の撮りたいアングルに合わせて撮影位置を移動しなければならない。
【０００３】
引用文献１においては、例えば、各所に設置された複数のカメラで取得した映像を、表示装置の画面上で複数同時に、様々な組み合わせで確認することができる技術が公開されている。特許文献１の技術を用いることにより、ユーザは、被写体を確認するために移動せずとも、被写体の状態を、様々なアングルで確認することが出来る。
【先行技術文献】
【特許文献】
【０００４】
【特許文献１】特開２０００−８３２４０号公報
【発明の開示】
【発明が解決しようとする課題】
【０００５】
しかしながら、特許文献１に開示されている技術において、当該複数のカメラを固定して各所に設置することを前提としており、表示画面で複数の映像を確認するためには、ユーザがそれら複数の、全てのカメラを設置、管理する必要がある。
【０００６】
また、例えば屋外や、旅行先等では、カメラを設置できないため、ユーザは所望の撮影位置まで移動せねばならない。人が多い観光地、イベント会場等の場所においては、当該移動は非常に難しく、ユーザは所望の画角の画像を取得することができないという問題があった。
【０００７】
本発明は、撮像装置の位置情報を用いて、ユーザの所望する他の撮像装置の撮像する画像を取得することが出来る情報処理装置、情報処理システム、その制御方法及びプログラムを提供することを目的とする。
【課題を解決するための手段】
【０００８】
本発明の情報処理装置は、撮像装置と表示画面を備える情報処理装置であって、前記表示画面に表示された他の撮像装置を選択させるためのオブジェクトを、当該他の撮像装置と対応付けて表示するオブジェクト表示手段と、前記オブジェクト表示手段で表示されたオブジェクトの選択を受け付ける選択受付手段と、前記選択受付手段で選択されたオブジェクトに対応する、前記他の撮像装置が撮像した画像データを取得する取得手段と、前記取得手段で取得した前記画像データを表示画面に表示する画像データ表示手段と、を備えること特徴とする。
【発明の効果】
【０００９】
本発明によれば、撮像装置の位置情報を用いて、ユーザの所望する他の撮像装置の撮像する画像を取得することが出来る情報処理装置、情報処理システム、その制御方法及びプログラムを提供することが出来る。
【図面の簡単な説明】
【００１０】
【図１】本発明の実施形態における、情報処理システムのシステム構成の一例を示す図である。
【図２】本発明の実施形態における、各種装置のハードウェア構成図の構成の一例を示す図である。
【図３】本発明の実施形態における、各種装置の機能構成図の構成の一例を示す図である。
【図４】本発明の実施形態における、撮像処理の概要を示すフローチャートである。
【図５】本発明の実施形態における、位置情報送信処理の詳細を示すフローチャートである。
【図６】本発明の実施形態における、撮像処理の詳細を示すフローチャートである。
【図７】本発明の実施形態における、位置情報送信処理の詳細を示すフローチャートである。
【図８】本発明の実施形態における、撮像処理の詳細を示すフローチャートである。
【図９】本発明の実施形態における、撮像装置情報データテーブル構成の一例を示す図である。
【図１０】本発明の実施形態における、被写体と撮像装置、撮像装置同士の位置関係を示す図である。
【図１１】本発明の実施形態における、撮像画面の構成、及び遷移の様子の一例を示す図である。
【図１２】本発明の実施形態における、撮像画面の構成、及び遷移の様子の一例を示す図である。
【発明を実施するための形態】
【００１１】
以下、図面を参照して本発明の実施形態の一例について説明する。まず図１を参照して、本発明の実施形態における、情報処理システムのシステム構成の一例について説明する。図１は、本発明の実施形態における、情報処理システムのシステム構成の一例を示す図である。
【００１２】
撮像装置１００Ａ、及び撮像装置１００Ｂ（以後、まとめて撮像装置１００／撮像装置と表示装置を備える情報処理装置）は、通信機能を有する撮像装置であって、撮像装置１００間、及び、撮像装置１００・サーバ２００間での各撮像装置の位置情報、方位情報画画像データの送受信を、ＷＡＮ１０１を介して行う。つまり、撮像装置１００とサーバ２００は、ＷＡＮ１０１を介して通信可能に接続されている。
【００１３】
サーバ２００は、随時受信する撮像装置１００の位置情報、方位情報、画像データをメモリに一時記憶し、撮像装置１００より、当該位置情報、画像データの要求を受け付けた場合、当該当該位置情報、画像データを当該撮像装置１００に送信する。
【００１４】
撮像装置１００は、他の撮像装置１００、又はサーバ２００から受信した周辺に存在する各撮像装置の位置情報を基に、表示画面上にアイコンを各撮像装置に対応するアイコンを表示し、当該アイコンの選択を受け付けることで、当該アイコンに対応する撮像装置の撮像する画像を取得する。以上が図１の、本発明の実施形態における、情報処理システムのシステム構成の一例についての説明である。
【００１５】
次に図２を参照して、本発明の実施形態における、情報処理装置のハードウェア構成図の構成の一例について説明する。図２は、本発明の実施形態における、情報処理装置のハードウェア構成図の構成の一例を示す図である。
【００１６】
ＣＰＵ２０１は、システムバス２０４に接続される各デバイスやコントローラを統括的に制御する。
【００１７】
また、ＲＯＭ２０３あるいは外部メモリ２１３には、ＣＰＵ２０１の制御プログラムであるＢＩＯＳ（Ｂａｓｉｃ  Ｉｎｐｕｔ／Ｏｕｔｐｕｔ  Ｓｙｓｔｅｍ）やオペレーティングシステムプログラム（以下、ＯＳ）や、本発明の文字入力システムプログラム、各ＰＣの実行する機能を実現するために必要な各種プログラムが記憶されている。ＲＡＭ２０２は、ＣＰＵ２０１の主メモリ、ワークエリア等として機能する。
【００１８】
ＣＰＵ２０１は、処理の実行に際して必要なプログラム等をＲＡＭ２０２にロードして、プログラムを実行することで各種動作を実現するものである。
【００１９】
また、入力コントローラ（入力Ｃ）２０５は、撮像装置２０９やタッチパネル２１０や不図示のマウス等のポインティングデバイスからの入力を制御する。
【００２０】
ビデオコントローラ（ＶＣ）２０６は、ＣＲＴディスプレイ（ＣＲＴ）２１１等の表示器への表示を制御するとともに、音声再生制御と繋がっている。発明の主体が、スマートフォンのようなタブレット端末であることを前提としているが、他の機器へのコントローラとしての本システムを応用する場合は、どのような表示装置でも良く、本発明と直接関係があるものではない。
【００２１】
メモリコントローラ（ＭＣ）２０７は、ブートプログラム、ブラウザソフトウェア、各種アプリケーション、フォントデータ、ユーザファイル、編集ファイル、各種データ等を記憶するハードディスク（ＨＤ）やフレキシブルディスク、或いはＰＣのカードスロットにアダプタを介して接続されるメモリカード等の外部メモリ２１３へのアクセス制御をする。
【００２２】
通信Ｉ／Ｆコントローラ（通信Ｉ／ＦＣ）２０８は、ネットワークを介して、外部機器と接続・通信するものであり、ネットワークでの通信制御処理を実行する。例えば、ＴＣＰ／ＩＰを用いたインターネット通信が可能である。
【００２３】
なお、ＣＰＵ２０１は、例えばＲＡＭ２０２内の表示情報用領域へアウトラインフォントの展開（ラスタライズ）処理を実行することにより、ＣＲＴ２１１上での表示を可能としている。また、ＣＰＵ２０１は、ＣＲＴ２１１の不図示のマウスカーソル等でのユーザ指示を可能とする。
【００２４】
本発明を実現する為の後述するプログラムは、外部メモリ２１３に記憶されており、必要に応じてＲＡＭ２０２にロードされることによりＣＰＵ２０１によって実行されるものである。さらに、上記プログラムの実行時に用いられる定義ファイル及び各種情報テーブルも外部メモリ２１３に格納されており、これらについての詳細な説明も後述する。
【００２５】
音声再生装置は、外部メモリ２１３に記憶された音声データを再生する装置である。尚、撮像装置２０９、タッチパネル２１０、ＣＲＴ２１１、音声再生装置２１２は、撮像装置１００に搭載されているものとし、本実施形態におけるサーバ２００には、必ずしも設置、搭載する必要はない。以上が図２の、本発明の実施形態における、各種装置のハードウェア構成図の構成の一例についての説明である。
【００２６】
次に図３を参照して、本発明の実施形態における、各種装置の機能構成図の構成の一例について説明する。図３は、本発明の実施形態における、各種装置の機能構成図の構成の一例を示す図である。
【００２７】
図３に示す通り、撮像装置１００は、データ送受信部３０１、撮像制御部３０２、方位情報取得部３０３、位置情報取得部３０４、オブジェクト表示制御部３０５、他機撮像画像表示制御部３０７等から構成されている。
【００２８】
本発明の実施携帯における撮像装置はインターネット回線を通じて他装置と通信する機能を有しているデジタルカメラ装置を想定しているが、当該撮像装置の形態はこれに限るものではない。例えば、スマートデバイス等の表示機能付きの携帯端末等であっても良い。
【００２９】
データ送受信部３０１は、インターネット（ＷＡＮ１０１）に無線アクセスを行い、サーバ２００、乃至、他の撮像装置に対して、当該撮像装置の位置情報、方位情報、撮像中の画像情報、当該各情報が更新される毎に送信する。また、他の撮像装置の位置情報、方位情報、撮像中の画像情報を受信する送受信部である。
【００３０】
撮像制御部３０２は、撮像装置１０９を制御して撮像処理を実行する処理実行部である。また、他の撮像装置に撮像処理を実行させるべく、撮像指示を送信する送信部である。
【００３１】
方位情報取得部３０３は、撮像装置１００に搭載された不図示の方位センサを用いて、撮像装置１００の向いている方向の情報を取得する取得部である。尚、本実施形態において、方位は、北＝０°、東＝９０°、南＝１８０°、西＝２７０°で表すものとする。
【００３２】
位置情報取得部３０４は、撮像装置１００に搭載されたＧＰＳ機能等の位置検出機能を用いて検出した、撮像装置１００の現在の位置情報を取得する取得部である。
【００３３】
オブジェクト表示制御部３０５は、他装置から取得した他の撮像装置の位置情報に応じて、当該撮像装置と対応付けて、表示画面上にオブジェクトを表示する表示部である。オブジェクト選択受付部３０６で当該オブジェクトが選択されることにより、当該オブジェクトに対応する撮像装置の撮像中の画像データが、他機撮像画像表示制御部により、当該選択指示を受け付けた撮像装置１００の表示画面に表示される。
【００３４】
データ送受信部３１１は、撮像装置１００より撮像装置１００の位置情報、方位情報、画像データを受信する受信部である。また、撮像装置１００よりの要求に応じて、他の撮像装置１００の位置情報、方位情報、画像データを送信する送信部である。
【００３５】
位置情報記憶部３１２、方位情報記憶部３１３、画像データ３１４は、撮像装置１００より順次送信されてくる各情報を、一時的に記憶し、新たな位置情報、方位情報、画像データを受信する毎に更新する記憶部である。以上が図３の、本発明の実施形態における、各種装置の機能構成図の構成の一例についての説明である。
【００３６】
以下、図４〜図６、図１０、図１１を参照して、本発明の第１の実施形態について説明する。本発明の第１の実施形態においては、撮像装置１００（例えば撮像装置１００Ｂ）が当該撮像装置１００の位置情報、方位情報、画像データをサーバ２００に送信して、サーバ２００が、他の撮像装置（例えば撮像装置１００Ａ）からの要求に応じて、当該他の撮像装置に撮像装置１００Ｂの位置情報を送信する。他の撮像装置（撮像装置１００Ａ）は、受信した位置情報を基に、表示画面上に撮像装置１００Ｂに対応するオブジェクトを表示し、当該オブジェクトが選択された場合に、撮像装置１００Ｂの撮像中の画像データをサーバ２００より取得して表示画面に表示する処理を行う。
【００３７】
図４を参照して、本発明の実施形態における、撮像処理の概要について説明する。図４は、本発明の実施形態における、撮像処理の概要を示すフローチャートである。以下、説明する処理は、撮像装置１００のＣＰＵ２０１が、撮像装置１００のＲＡＭ２０２をワークエリアとして、外部メモリ２１３に格納された本発明のプログラムを実行することにより実現される。
【００３８】
撮像装置１００のＣＰＵ２０１は、ユーザからの指示を受け付け、不図示のメニュー画面を表示画面に表示する（ステップＳ４０１）。
【００３９】
撮像装置１００のＣＰＵ２０１は、ユーザからの指示を受け付け（ステップＳ４０２）、受け付けた指示が共有撮影の実行指示か否かを判定する（ステップＳ４０３）。共有撮影の実行指示とは、例えば、不図示のメニュー画面上に表示された共有撮影モードのアイコンの選択指示であって、撮像装置１００のＣＰＵ２０１は、撮像装置１００の外部メモリに記憶されたアプリケーションを起動して、後述するステップＳ４０４〜Ｓ４０６、及び、図５〜図７に記載の撮像装置１００における各種処理を実行するものである。
撮像装置１００のＣＰＵ２０１は、受け付けた指示が共有撮影の実行指示であると判定した場合（ステップＳ４０３でＹＥＳ）、処理をステップＳ４０４に移行し、位置情報送信処理を実行する（ステップＳ４０４）。
【００４０】
当該位置情報送信処理とは、他装置（他の撮像装置）に対して、自装置の位置情報を送信し、他装置の表示画面上に、自装置（自装置の表示画面上の位置）に対応するオブジェクトを表示させるための処理である。
【００４１】
ここで図５を参照して、本発明の実施形態における、位置情報送信処理の詳細について説明する。本発明の実施形態における、位置情報送信処理の詳細を示すフローチャートである。
【００４２】
撮像装置１００のＣＰＵ２０１は、撮像処理（ライブビュー映像／ライブ画像データの取得処理）を実行して画像データを取得し（ステップＳ５０１）、また、自装置の位置情報、方位情報を取得して（ステップＳ５０２）、当該画像データ及び、位置情報、方位情報を、撮像装置１００の識別情報（例えばＩＰアドレス）と共にサーバ２００に送信する（ステップＳ５０３／画像データ送信手段）。以下、当該撮像装置の識別情報、画像データ、位置情報、方位情報をまとめて撮像装置情報とする。
【００４３】
サーバ２００のＣＰＵ２０１は、当該撮像装置情報を受信し（ステップＳ５０４）、外部メモリの所定に記憶領域に、サーバ内撮影装置情報として記憶して（ステップＳ５０５）、処理を終了する。以上が図５の、本発明の実施形態における、位置情報送信処理の詳細についての説明である。
【００４４】
ここで図９を参照して、本発明の実施形態における、撮像装置情報データテーブル構成の一例について説明する。図９は、本発明の実施形態における、撮像装置情報データテーブル構成の一例を示す図である。
【００４５】
自撮像装置情報９００は、図５のステップＳ５０３で、撮像装置１００がサーバ２００に送信した、撮像装置１００の撮像装置情報である。
【００４６】
サーバ内撮像装置情報９１０は、サーバ２００のＣＰＵ２０１が、複数の撮像装置から受信して外部メモリに記憶した、各撮像装置１００の撮像装置情報である。
【００４７】
他撮像装置情報９２０は、後述する図６のステップＳ６０５で、サーバ２００から撮像装置１００に送信される、撮像装置１００の位置から所定の範囲内の位置情報を有する撮像装置情報（そのリスト）である。
【００４８】
装置ＩＰ９０１は、当該撮像装置情報の送信元である撮像装置の識別情報であるＩＰアドレスである。サーバ２００のＣＰＵ２０１は、当該ＩＰアドレスを用いて、撮像装置情報の送信先の撮像装置１００を特定し、当該撮像装置情報を送信する。尚、ここでは、撮像装置情報の識別情報としてＩＰアドレスを用いたが、当該識別情報は、例えば、各装置に設定されている個別の端末ＩＤ等であってもよい。
【００４９】
位置情報９０２は、撮像装置１００の位置情報である。方位情報９０３は、撮像装置１００の方位情報である。画像情報９０４（画像データ９０４）は、撮像装置１００のＣＰＵ２０１が撮像制御部を制御することで継続的に取得しているライブビュー画像の情報である。
【００５０】
当該位置情報９０２、方位情報９０３、画像情報９０４は、方向によって随時変更され、継続的にサーバ２００に送信されるものである。
【００５１】
サーバ内撮像装置情報９１０の、装置ＩＰ９１１は、撮像装置１００の識別情報である。位置情報９１２、方位情報９１３、画像情報９１４は、各装置ＩＰにより識別される撮像装置１００より随時受信し、変更、更新される一時データである。
【００５２】
他撮像装置情報９２０の装置ＩＰ９２１は、撮像装置１００の識別情報である。位置情報９２２、方位情報９２３、画像情報９２４は、後述する図６のステップＳ６０５で、サーバ２００から撮像装置１００に送信される、撮像装置１００の位置から所定の範囲内の位置情報を有する他の撮像装置の撮像装置情報（そのリスト）である。以上が図９の、本発明の実施形態における、撮像装置情報データテーブル構成の一例についての説明である。
【００５３】
図４の説明に戻る。撮像装置１００のＣＰＵ２０１は、ステップＳ４０５で撮像処理を実行する（ステップＳ４０５）。
【００５４】
ここで図６を参照して、本発明の実施形態における、撮像処理の詳細について説明する。図６は、本発明の実施形態における、撮像処理の詳細を示すフローチャートである。
【００５５】
撮像装置１００のＣＰＵ２０１は、ライブビューの画像データを表示する撮像画面を表示し（ステップＳ６０１）、当該撮像装置１００の周辺に位置する他の撮像装置の位置情報をサーバ２００に要求する（ステップＳ６０２／取得要求）。
【００５６】
サーバ２００のＣＰＵ２０１は当該要求を受信し（ステップＳ６０３）、当該要求の送信元の撮像装置１００（例えば、装置ＩＰ＝１９２．１６８．１．１１１）の位置情報と、サーバ内撮像装置情報９１０の位置情報位置情報を比較して、当該撮像装置１００の位置から所定の範囲内の位置情報９１０を有する撮像装置情報を取得して（ステップＳ６０４）、他撮像装置情報９２０に挿入し、撮像装置１００に送信する（ステップＳ６０５）。
【００５７】
撮像装置１００のＣＰＵ２０１は、位置情報を含む当該他撮像装置情報９２０を受信し（ステップＳ６０６）、取得した位置情報と、自装置の位置情報と、自装置の方位情報（撮影可能な画角の情報を含む）とを用いて、当該画角に含まれる他の撮像装置（撮像装置の位置情報／緯度・経度の情報）を特定し、当該表示画面上の当該他の撮像装置の位置に、当該他の撮像装置に対応するアイコン（オブジェクト／エアタグ）を表示する（ステップＳ６０７）。
【００５８】
尚、ここでは、撮像装置１００において、表示画面画面上に表示される（画角に含まれる）位置情報、当該位置情報の示す他の撮像装置を特定して、当該特定した撮像装置に対応するアイコンを当該表示画面上の前記他の撮像装置の位置に配置するものとしたが、例えば、サーバ２００のＣＰＵ２０１が、サーバ内撮像装置情報９１０の各情報を用いて、撮像装置１００の画角に含まれる位置情報（他の撮像装置）を特定し、当該位置情報を撮像装置１００に送信して、撮像装置１００のＣＰＵ２０１は、受信した位置情報を用いて、前記他の撮像装置に対応するアイコンを当該表示画面上の前記他の撮像装置の位置に配置するようにしてもよい。
【００５９】
尚、位置情報に基づいてアイコンを表示画面上へ配置して表示する技術は、従来のエアタグ等の配置処理に知られるものであり、既存の技術であるため、ここでは説明を割愛する。当該配置処理の技術については、例えば、セカイカメラ（商標）の技術や、引用文献／特許第４９９３６３７号公報において開示されている。
【００６０】
ここで図１０を参照して、本発明の実施形態における、被写体と撮像装置、撮像装置同士の位置関係について説明する。図１０は、本発明の実施形態における、被写体と撮像装置、撮像装置同士の位置関係を示す図である。
【００６１】
以下、撮像装置１００を、他の撮像装置（撮像装置１００Ｂ）のライブビュー画像を受信して表示する、被写体の側面に位置する撮像装置１００Ａと、被写体の正面に位置する、ライブビュー画像の送信元の撮像装置１００Ｂに分けて説明する。
【００６２】
被写体１０００は、撮像装置１００Ａ、１００Ｂにより撮像されている。当該撮像装置１００Ａ、撮像装置１００Ｂは、例えば、それぞれ別のユーザが使用しているものである。表示画像１００１は、撮像装置１００Ａの表示画面に表示されているライブビューであり、表示画像１００２は、撮像装置１００Ｂの表示画面に表示されているライブビューである。撮像方向１００４は、各撮像装置の撮像している方向を示す。
【００６３】
本発明の第１の実施形態においては、図１０に示すように、撮像装置１００Ａの撮像方向１００５（焦点位置／焦点の方向）が撮像装置１００Ｂに向いた場合は、撮像装置１００Ａの表示画面の画像を、撮像装置１００Ｂの表示画面の画像と同じ、例えば被写体の正面の画像に切り替える。
【００６４】
当該画像データは撮像装置１００Ｂから、サーバ２００を介して撮像装置１００Ａに送信される。以上が図１０の、本発明の実施形態における、被写体と撮像装置、撮像装置同士の位置関係についての説明である。
【００６５】
ここで図１１を参照して、本発明の実施形態における、撮像画面の構成、及び遷移の様子の一例について説明する。図１１は、本発明の実施形態における、撮像画面の構成、及び遷移の様子の一例を示す図である。
【００６６】
表示画面１１００、表示画面１１１０の画像は撮像装置１００Ａの撮像機能を用いて表示するライブビュー映像である。表示画面１１２０の画像は、撮像装置１００Ｂ（サーバ２００）から取得したライブビュー映像を表示する表示画面である。被写体１１０１、被写体１１１１、被写体１１２１は、撮像対象の被写体である。
【００６７】
焦点位置１１０２（焦点位置表示手段）は、撮像装置１００Ａの焦点位置（焦点の方向）を示すマーカである。アイコン１１０３は、撮像装置１００Ｂに対応する、撮像装置１００Ｂの撮像する映像をサーバ２００に要求するために用いるアイコンである。当該アイコンは、例えば、サーバ２００から受信する撮像装置１００Ｂの位置情報に応じて、撮像装置１００Ａの表示画面上の、撮像装置１００Ｂと重なる位置に配置され、表示される。
【００６８】
焦点位置が、例えばユーザが撮像装置１００Ａのレンズの方向を移動することにより、焦点位置１１１２及びアイコン１１１３に示すように、表示画面上のアイコンに重なる位置に移動した場合、撮像装置１００ＡのＣＰＵ２０１は、サーバ２００に撮像装置１００Ｂの画像データを要求し、当該画像データをサーバ２００より受信して、他撮像装置画像表示領域１１１４（画像データ表示領域）に表示する。
【００６９】
また、当該他撮像装置画像表示領域１１１４に対する拡大表示指示（例えば、ダブルタップ操作）を受け付けた場合に、表示画面１１２０に示すように、当該他撮像装置画像表示領域１１１４に表示中の画像を拡大して全画面表示する。
【００７０】
また、当該他撮像装置画像表示領域１１１４、又は、表示画面１１２０に対する撮像指示（例えば、タップ操作）を受け付けた場合に、当該タップ操作を受け付けた時点での画像データをキャプチャ（撮像）して、撮像装置１００Ａに接続されたメモリカードに記憶する。
【００７１】
尚、ここでは撮像指示の操作方法の一例としてタップ操作を挙げたが、例えば、撮像装置１００に設置された不図示のシャッターボタンの押下指示であってもよい。
【００７２】
また、ここでは、各アイコンを、単に撮像装置の位置を示す情報として表示しているが、例えば、方位情報９２３を用いて、当該撮像装置の向いている方位、方向を示す矢印をアイコンとして表示画面に表示するようしにてもよい。こうすることで、ユーザは自らの各アイコンの示す撮像装置が、自分の所望する画角を含むものかを容易に認識できる。以上が図１１の、本発明の実施形態における、撮像画面の構成、及び遷移の様子の一例についての説明である。
【００７３】
図６の説明に戻る。撮像装置１００のＣＰＵ２０１は、撮像装置１００の焦点位置（撮像装置１００の表示画面上に表示された焦点位置を示すマーカ）と、撮像装置１００の表示画面上に表示された、他の撮像装置と対応するアイコンと、が重なったか否かを判定し（ステップＳ６０８）、重なっていないと判定した場合は（ステップＳ６０８でＮＯ）、処理をステップＳ６０８の前に戻す。
【００７４】
重なったと判定した場合は（ステップＳ６０８でＹＥＳ）、処理をステップＳ６０９に移行し、当該アイコンに対応する撮像装置が撮像中の画像データをサーバ２００に要求する（ステップＳ６０９）。
【００７５】
サーバ２００のＣＰＵ２０１は、当該要求を受信し（ステップＳ６１０）、当該画像データを記憶領域から取得して、撮像装置１００に返送する（ステップＳ６１１）。撮像装置１００のＣＰＵ２０１は、当該画像データを受信して（ステップＳ６１２）、ライブビュー映像として、表示画面上の特定の領域（例えば、図１１の、他撮像装置画像表示領域１１１４）に表示する（ステップＳ６１３）。
【００７６】
撮像装置１００のＣＰＵ２０１は、当該他の撮像装置で撮影中の画像データを、拡大表示する指示を受け付けたか否かを判定し（ステップＳ６１４）、拡大表示する指示を受け付けたと判定した場合（ステップＳ６１４でＹＥＳ）、当該画像データを拡大表示して（ステップＳ６１５／図１１の表示画面１１２０）、処理をステップＳ６１６に移行する。拡大表示する指示を受け付けていないと判定した場合（ステップＳ６１４でＮＯ）、拡大表示を行わず、処理をステップＳ６１６に移行する。
【００７７】
サーバ２００のＣＰＵ２０１は、他の撮像装置で撮像中の画像の撮像指示を受け付けたか否かを判定する（ステップＳ６１６）。つまり、図１１でいう、他撮像装置画像表示領域１１１４、又は表示画面１１２０に対するタップ指示を受け付けたか否かを判定する。撮像指示を受け付けていないと判定した場合（ステップＳ６１６でＮＯ）、処理を終了する。
【００７８】
尚、他撮像装置画像表示領域１１１４、又は表示画面１１２０ではない、撮像装置１００Ａが撮像中のライブビュー映像を表示している表示領域に対する撮像指示（タップ指示）を受け付けた場合、当該撮像装置１００Ａが撮像中の画像データを静止画として撮影し、記憶領域に記憶するものとする。
【００７９】
撮像指示を受け付けたと判定した場合（ステップＳ６１６でＹＥＳ）、当該他撮像装置画像表示領域１１１４、又は表示画面１１２０に表示されている画像データ（他の撮像装置／撮像装置１００Ｂで撮像中の画像データ）を撮像（キャプチャ）して取得するする（ステップＳ６１７）。
【００８０】
サーバ２００のＣＰＵ２０１は、ステップＳ６１７で取得した画像データを、撮像装置１００に接続されたメモリカードに記憶して（ステップＳ６１８）、処理を終了する。以上が図６の、本発明の実施形態における、撮像処理の詳細についての説明である。
【００８１】
図４の説明に戻る。撮像装置１００のＣＰＵ２０１は、ステップＳ４０３で指示を受け付けることにより開始した、共有撮影処理の終了指示を受け付けたか否かを判定する（ステップＳ４０６）。例えば、図１０の表示画面１１００上に表示される、不図示の共有撮影モード終了のためのボタンの押下指示を受け付けた場合、共有撮影処理の終了指示を受け付けたと判定する。
【００８２】
共有撮影処理の終了指示を受け付けたと判定した場合（ステップＳ４０６でＹＥＳ）、共有撮影モードを終了し、処理を終了する。共有撮影処理の終了指示を受け付けていないと判定した場合（ステップＳ４０６でＮＯ）、処理をステップＳ４０３の前に戻す。以上が図４の、本発明の実施形態における、撮像処理の概要についての説明である。
【００８３】
以上、本発明の第１の実施形態について説明した。次に、図４、図７、図８、図１２を参照して、本発明の第２の実施形態について説明する。本発明の第２の実施形態においては、撮像装置１００（例えば撮像装置１００Ｂ）が当該撮像装置１００の位置情報、方位情報、画像データをブロードキャストで発信し、他の撮像装置（例えば撮像装置１００Ａ）が、当該ブロードキャスト発信された各情報を受信する。つまり、ブロードキャストで発信された情報を受信可能な範囲にある、自機周辺に存在する撮像装置１００を検索して特定する。
【００８４】
他の撮像装置（撮像装置１００Ａ）は、当該受信した位置情報を基に、表示画面上に撮像装置１００Ｂに対応するオブジェクト（アイコン）を表示し、当該オブジェクトが選択された場合に、撮像装置１００Ｂの撮像中の画像データを、撮像装置Ｂより直接取得して表示画面に表示する処理を行う。
【００８５】
図４の処理については、本発明の第１の実施形態の説明にて前述したため、ここでは説明を割愛し、ステップＳ４０４の詳細を示す図７、及び、ステップＳ４０５の詳細を示す図８について説明する。図７を参照して、本発明の実施形態における、位置情報送信処理の詳細について説明する。図７は、本発明の実施形態における、位置情報送信処理の詳細を示すフローチャートである。
【００８６】
撮像装置１００のＣＰＵ２０１は、撮像装置１００に搭載された不図示のＧＰＳ装置の位置検出機能、加速度センサの機能を用いて、撮像装置１００の位置情報、方位情報を取得し（ステップＳ７０１）、ブロードキャスト形式で不特定の外部装置（他の撮像装置）に対して発信、送信する（ステップＳ７０２）。例えば、図９の自撮像装置情報９００の内、画像情報９０４を除く情報を送信する。以上が図７の、本発明の実施形態における、位置情報送信処理の詳細についての説明である。
【００８７】
次に図８を参照して、本発明の実施形態における、撮像処理の詳細について説明する。図８は、本発明の実施形態における、撮像処理の詳細を示すフローチャートである。
【００８８】
以下、撮像装置１００を、他の撮像装置（撮像装置１００Ｂ）のライブビュー画像を受信して表示する、被写体の側面に位置する撮像装置１００Ａと、被写体の正面に位置する、ライブビュー画像の送信元の撮像装置１００Ｂに分けて説明する。
【００８９】
撮像装置１００のＣＰＵ２０１は、ライブビューの画像データを表示する撮像画面を表示し（ステップＳ８０１）、ブロードキャスト送信されている、周辺の撮像装置の位置情報、方位情報、当該情報の送信元の撮像装置の装置ＩＰを取得する（ステップＳ８０２／識別情報取得手段）。
【００９０】
撮像装置１００のＣＰＵ２０１は、取得した位置情報と、自装置の位置情報及び方位情報とを用いて、表示画面上の他の撮像装置の位置を特定し、当該他の撮像装置の位置に、当該他の撮像装置に対応するアイコン（オブジェクト）を表示する（ステップＳ８０３）。
尚、当該アイコンの表示画面上への配置処理は、従来のエアタグ等の配置処理に知られるものであり、既存の技術であるため、ここでは説明を割愛する。
【００９１】
ここで図１２を参照して、本発明の実施形態における、撮像画面の構成、及び遷移の様子の一例について説明する。図１２は、本発明の実施形態における、撮像画面の構成、及び遷移の様子の一例を示す図である。
【００９２】
表示画面１２００、表示画面１２１０の画像は撮像装置１００Ａの撮像機能を用いて表示するライブビュー映像である。表示画面１２２０の画像は、撮像装置１００Ｂから取得したライブビュー映像を表示する表示画面である。被写体１２０１、被写体１２１１、被写体１２２１は、撮像対象の被写体である。
【００９３】
アイコン１２０２は、アイコン１２１２は、撮像装置１００Ｂに対応する、撮像装置１００Ｂの撮像する映像を撮像装置１００Ｂに要求するために用いるアイコンである。当該アイコンは、例えば、撮像装置１００Ｂから受信した撮像装置１００Ｂの位置情報に応じて、撮像装置１００Ａの表示画面上の、撮像装置１００Ｂと重なる位置に配置され、表示される。また、アイコン１２０３、アイコン１２１３は、不図示の撮像装置１００Ｃに対応するアイコンである。
【００９４】
表示画面上の各種アイコンの選択指示（例えば、タップ操作）を受け付けた場合、撮像装置１００ＡのＣＰＵ２０１は、当該アイコンに対応する撮像装置の装置ＩＰを特定し、当該装置ＩＰを有する撮像装置に対し、撮像中の画像データを要求し、当該画像データを受信して、選択中のアイコンに対応する撮像装置で撮像中の画像データ（ライブビュー映像）を他撮像装置画像表示領域１２１４（画像データ表示領域）に表示する。
【００９５】
尚、選択中のアイコンについては、アイコン１２１３のように、アイコンの色を変えて、未選択のアイコンと識別可能に表示するものとする。当該色の変更処理は、撮像装置に記憶されたアプリケーションが実行する。
【００９６】
また、ステップＳ８０２で取得した方位情報を用いて、自装置の方位情報の示す方位と所定の値より近い方位を示す方位情報を特定し、当該特定された方位情報を有する撮像装置に対応するアイコンと、それ以外の撮像装置に対応するアイコンとを、識別可能に（例えば色を変えて）、表示画面に表示する。当該所定の値の情報は、撮像装置の記憶領域に予め記憶されているものとする。
【００９７】
尚、ここでは、自装置の方位に近い方位の方位情報を有する撮像装置に対応するアイコンと、そうでないアイコンとを識別表示するようにしたが、例えば、自装置の方位に近い方位の方位情報を有する撮像装置に対応するアイコンとを表示画面に表示しないようにしてもよい。
【００９８】
また、ここでは、撮像装置１００Ａの撮像中のライブビュー映像の中に、周辺の各撮像装置の位置情報に応じてアイコンを配置しているため、撮像装置１００Ａの撮像中の画角に含まれない撮像装置のアイコンは、表示画面に表示していないが、例えば、当該画角に含まれない位置情報に対応する撮像装置を特定し（画角外位置情報特定手段）、当該撮像装置のリストを、表示画面中の特定の領域にリスト表示し、当該リストの中の撮像装置の選択を受け付けることにより、当該選択を受け付けた撮像装置の撮像中のライブビュー映像を取得し、他撮像装置画像表示領域１２１４に表示するようにしてもよい。
【００９９】
当該他撮像装置画像表示領域１２１４に対する拡大表示指示（例えば、ダブルタップ操作）を受け付けた場合に、表示画面１２２０に示すように、当該他撮像装置画像表示領域１２１４に表示中の画像を拡大して全画面表示する。
【０１００】
また、当該他撮像装置画像表示領域１２１４、又は、表示画面１２２０に対する撮像指示（例えば、タップ操作）を受け付けた場合に、当該撮像指示を撮像装置１００Ｂに送信し、当該撮像指示に応じて撮像装置１００Ｂが撮像した画像データ（例えば静止画像）を、撮像装置１００Ａに送信し、撮像装置１００ＡのＣＰＵ２０１は、当該画像データを受信してメモリカード等の記憶領域に記憶する。以上が図１２の、本発明の実施形態における、撮像画面の構成、及び遷移の様子の一例についての説明である。
【０１０１】
図８の説明に戻る。撮像装置１００のＣＰＵ２０１は、表示画面上に表示されたアイコン（例えば、図１２のアイコン１２１２、アイコン１２１３）の選択指示（例えば、タップ操作）を受け付けたか否かを判定する（ステップＳ８０４）。当該アイコンの選択指示を受け付けていないと判定した場合（ステップＳ８０４でＮＯ）、処理をステップＳ８０４の前に戻す。
【０１０２】
当該アイコンの選択指示を受け付けたと判定した場合（ステップＳ８０４でＹＥＳ）、当該アイコンに対応する撮像装置が撮像中の画像データを、ステップＳ８０２で取得した装置ＩＰ９０１の示す撮像装置（例えば、撮像装置１００Ｂ）に要求する（ステップＳ８０５）。当該要求には、撮像装置１００Ａの装置ＩＰ（装置ＩＰ９０１／ＩＰアドレス）を含めるものとする。
【０１０３】
撮像装置１００ＢのＣＰＵ２０１は、当該要求を受信し（ステップＳ８０６）、撮像中の画像データを、当該要求に含まれるＩＰアドレスから特定される撮像装置１００Ａに送信する（ステップＳ８０７）。
【０１０４】
撮像装置１００ＡのＣＰＵ２０１は、当該画像データを受信して（ステップＳ８０８）、ライブビュー映像として、表示画面上の特定の領域（例えば、図１２の、他撮像装置画像表示領域１２１４）に表示する（ステップＳ８０９）。
【０１０５】
撮像装置１００のＣＰＵ２０１は、当該他の撮像装置で撮影中の画像データを、拡大表示する指示を受け付けたか否かを判定し（ステップＳ８１０）、拡大表示する指示を受け付けたと判定した場合（ステップＳ８１０でＹＥＳ）、当該画像データを拡大表示して（ステップＳ８１１／図１２の表示画面１２２０）、処理をステップＳ８１２に移行する。拡大表示する指示を受け付けていないと判定した場合（ステップＳ８１０でＮＯ）、拡大表示を行わず、処理をステップＳ８１２に移行する。
【０１０６】
サーバ２００のＣＰＵ２０１は、他の撮像装置で撮像中の画像の撮像指示を受け付けたか否かを判定する（ステップＳ８１２）。つまり、図１２でいう、他撮像装置画像表示領域１２１４、又は表示画面１２２０に対するタップ指示を受け付けたか否かを判定する。撮像指示を受け付けていないと判定した場合（ステップＳ８１２でＮＯ）、処理を終了する。
【０１０７】
撮像指示を受け付けたと判定した場合（ステップＳ８１２でＹＥＳ）、当該他撮像装置画像表示領域１２１４、又は表示画面１２２０に表示されている画像データ（他の撮像装置／撮像装置１００Ｂで撮像中の画像データ）の撮像要求を、撮像装置１００Ｂ（画像データの取得元の撮像装置）に送信する（ステップＳ８１３）。尚、当該撮像要求には、当該撮像要求に応じて撮像された画像データを、撮像装置１００Ｂの記憶領域（例えば、撮像装置１００Ｂに接続されているメモリカード）に記憶することなく、撮像装置１００Ａに送信させる指示を含めるものとする（非記憶指示送信手段）。
【０１０８】
撮像装置１００ＢのＣＰＵ２０１は、当該要求を受信し（ステップＳ８１４）、当該要求に応じて撮像処理（ここでは静止画の撮影処理／シャッターを切る処理、とする）を実行し（ステップＳ８１５）、当該撮像した画像データを、撮像装置１００Ｂの記憶領域（例えば、撮像装置１００Ｂに接続されているメモリカード）に記憶することなく、撮像装置１００Ａに送信する（ステップＳ８１６）。
【０１０９】
こうすることで、撮像装置１００Ｂの記憶領域（例えば、撮像装置１００Ｂに接続されたメモリカード）に、撮像装置１００Ｂのユーザの意図しない画像データが記憶されることを防止する。
【０１１０】
撮像装置１００ＡのＣＰＵ２０１は、当該画像データを受信し（ステップＳ８１７）、撮像装置１００Ａに接続されているメモリカード等の記憶領域に記憶する（ステップＳ８１８）。以上が図８の、本発明の実施形態における、撮像処理の詳細についての説明である。以上、本発明の第２の実施形態について説明した
【０１１１】
以上説明したように、本発明によれば、撮像装置の位置情報を用いて、ユーザの所望する他の撮像装置の撮像する画像を取得することが出来る撮像装置、情報処理システム、その制御方法及びプログラムを提供することができる。
【０１１２】
尚、本発明の各実施形態の説明においては、静止画像を撮像し、記憶する処理について説明したが、例えば、動画像を撮像し、記憶するようにしてもよい。この場合、撮像装置１００のＣＰＵ２０１は、例えば、他撮像装置画像表示領域に対する１度目のタップ指示を受け付けた場合に、当該他撮像装置画像表示領域に表示された画像データの録画（記憶）を開始し、２度目のタップ指示を受け付けた場合に、画像データの録画を終了する。
【０１１３】
また、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【０１１４】
この場合、記録媒体から読み出されたプログラム自体が本発明の新規な機能を実現することになり、そのプログラムを記憶した記録媒体は本発明を構成することになる。
【０１１５】
プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【０１１６】
また、各装置が読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１１７】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１１８】
また、本発明は、例えば上述したように、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１１９】
さらに、本発明を達成するためのプログラムをネットワーク上のサーバ，データベース等から通信プログラムによりダウンロードして読み出すことによって、そのシステムあるいは装置が、本発明の効果を享受することが可能となる。
【０１２０】
なお、上述した各実施形態およびその変形例を組み合わせた構成も全て本発明に含まれるものである。
【０１２１】
また上記のソフトウェアで実現する各処理を、ファームウェアやハードウェア構成にして、各処理を各手段として実現することも可能であり、本発明の技術的範囲はこのようなファームウェアやハードウェア構成による実現も含むものである。
【符号の説明】
【０１２２】
１００Ａ  撮像装置
１００Ｂ  撮像装置
２００    サーバ
１０１    ＷＡＮ
２０１    ＣＰＵ
２０２    ＲＡＭ
２０３    ＲＯＭ
２０４    システムバス
２０５    入力コントローラ
２０６    ビデオコントローラ
２０７    メモリコントローラ
２０８    通信／ＩＦコントローラ
２０９    撮像装置
２１０    タッチパネル
２１１    ＣＲＴ
２１２    音声再生装置
２１３    外部メモリ
９９９    ネットワーク
【図１】
2014131200.tif 000003
【図２】
2014131200.tif 000004
【図３】
2014131200.tif 000005
【図４】
2014131200.tif 000006
【図５】
2014131200.tif 000007
【図６】
2014131200.tif 000008
【図７】
2014131200.tif 000009
【図８】
2014131200.tif 000010
【図９】
2014131200.tif 000011
【図１０】
2014131200.tif 000012
【図１１】
2014131200.tif 000013
【図１２】
2014131200.tif 000014